(57)【特許請求の範囲】
【請求項１】
回転してラッチを解放する回転式のドアの取っ手に取り付けられる取っ手補助具であって、
取っ手を操作するための腕掛け部と、前記腕掛け部の基端側と接続する取付部とを有し、
前記腕掛け部は、平面視において、三方が囲まれ、一方が開放された枠状であり、
前記腕掛け部は、中心角が１８０°以上である円弧形状部分を有する
ことを特徴とする取っ手補助具。
【請求項２】
請求項１に記載の取っ手補助具であって、
前記腕掛け部は、外周面から内方に凹む溝部が設けられている
ことを特徴とする取っ手補助具。
【請求項３】
請求項１または２に記載の取っ手補助具であって、
前記取付部は、略半円筒形状の第１取付部及び第２取付部を有し、
前記第１取付部は、前記腕掛け部と一体に形成される
ことを特徴とする取っ手補助具。
【請求項４】
回転してラッチを解放する回転式のドアの一対の取っ手に取り付けられる取っ手補助具セットであって、
請求項１〜３のいずれか一項に記載の取っ手補助具であって引き開き側の取っ手に取り付けられる第１取っ手補助具と、
請求項１〜３のいずれか一項に記載の取っ手補助具であって押し開き側の取っ手に取り付けられる第２取っ手補助具と、を含み、
前記第２取っ手補助具は前記第１取っ手補助具よりも左右方向の幅が大きい
ことを特徴とする取っ手補助具セット。
【請求項５】
回転してラッチを解放する回転式のドアの取っ手であって、
腕掛け部と、前記腕掛け部の基端側と接続する取付部とを有し、
前記腕掛け部は、平面視において、三方が囲まれ、一方が開放された枠状であり、
前記腕掛け部は、中心角が１８０°以上である円弧形状部分を有し、
前記腕掛け部は、外周面から内方に凹む溝部が設けられている
ことを特徴とする取っ手。
【請求項６】
回転してラッチを解放する回転式のドアの取っ手セットであって、
腕掛け部と、前記腕掛け部の基端側と接続する取付部とを有し、前記腕掛け部は、平面視において、三方が囲まれ、一方が開放された枠状であり、中心角が１８０°以上である円弧形状部分を有する、取っ手であって引き開き側に取り付けられる第１取っ手と、
腕掛け部と、前記腕掛け部の基端側と接続する取付部とを有し、前記腕掛け部は、平面視において、三方が囲まれ、一方が開放された枠状であり、中心角が１８０°以上である円弧形状部分を有する、取っ手であって押し開き側に取り付けられる第２取っ手と、を含み、
前記第２取っ手は前記第１取っ手よりも左右方向の幅が大きい
ことを特徴とする取っ手セット。
【発明の詳細な説明】
【技術分野】
【０００１】
本発明は、取っ手補助具及び取っ手に関する。
【背景技術】
【０００２】
従来、ドアノブなどの取っ手に装着される補助具がある。例えば、ドアの開閉ノブを回し易くする為に、指を掛ける複数の突起を有する環状のものをゴム又は弾力性を有する合成樹脂等の材質を用いて一体成型された、ドアの開閉ノブに装着する補助具が提案されている（特許文献１の請求項１を参照）。
【先行技術文献】
【特許文献】
【０００３】
【特許文献１】実用新案登録第３０５５６２９号公報
【発明の概要】
【発明が解決しようとする課題】
【０００４】
ドアノブなどは、多数の人が握って操作するため、表面に病原体が付着し、手を介して接触感染を引き起こす恐れがある。また、手を自由に動かすことができず、手によるドアノブの操作が難しい人がいる。
【０００５】
上記特許文献１に記載の補助具は、指を掛ける複数の突起により手が滑らず開閉ノブを回すことが可能である点、ゴム又は弾力性を有する合成樹脂等の材質を用いて一体成型することにより素手で掴むことによる寒冷地における凍傷、乾燥地における感電を防止できる点では優れているが、使用者はこの補助具に手の指を掛けて操作しなければならず、上記課題を解決することはできない。
【０００６】
本発明は、上記課題の少なくとも一つを解決するためのもので、手を使用せず腕のみで操作できる取っ手補助具及び取っ手を提供することを目的とする。
【課題を解決するための手段】
【０００７】
上述した少なくとも１つの課題を解決するために、本発明の一方面に係る取っ手補助具は、ドアの取っ手に取り付けられる取っ手補助具であって、腕をかけて取っ手を操作するための湾曲形状の腕掛け部と、前記腕掛け部の基端側と接続する取付部と、を有し、前記腕掛け部は、腕を挿入するための挿入部を有する。
【０００８】
また、前記腕掛け部の末端側と接続し、腕の挿入を容易にするガイド部を有してもよい。
【０００９】
また、前記腕掛け部は、半円形状の部分を有してもよい。
【００１０】
また、前記腕掛け部は、前方下方に傾斜していてもよい。
【００１１】
また、前記腕掛け部は、水平線に対して時計方向に６０度以上で９０度以下の角度をなしていてもよい。
【００１２】
また、前記取付部は、略半円筒形状の第１取付部及び第２取付部を有し、前記第１取付部は、前記腕掛け部と一体に形成されてもよい。
【００１３】
また、前記第１取付部及び前記第２取付部は、前端に内周面から径方向内方に突出する係止部が設けられてもよい。
【００１４】
また、前記第１取付部及び前記第２取付部は、内周面が後方に向かって漸次縮径して断面視略テーパ状に形成される部分を有してもよい。
【００１５】
また、前記取付部は、左右方向に延在する前板部と前後方向に延在する側板部とを有し、平面視略Ｌ字形状であってもよい。
【００１６】
また、前記腕掛け部は、開閉可能に構成されてもよい。
【００１７】
上述した少なくとも１つの課題を解決するために、本発明の一方面に係る取っ手補助具セットは、ドアの一対の取っ手に取り付けられる取っ手補助具セットであって、上記いずれの取っ手補助具であって引き開き側の取っ手に取り付けられる第１取っ手補助具と、上記いずれの取っ手補助具であって押し開き側の取っ手に取り付けられる第２取っ手補助具と、を含み、前記第２取っ手補助具は前記第１取っ手補助具よりも左右方向の幅が大きい。
【００１８】
上述した少なくとも１つの課題を解決するために、本発明の一方面に係る取っ手は、ドアの取っ手であって、腕をかけるための湾曲形状の腕掛け部と、前記腕掛け部の基端側と接続する取付部と、を有し、前記腕掛け部は、腕を挿入するための挿入部を有する。
【００１９】
また、前記腕掛け部の末端側と接続し、腕の挿入を容易にするガイド部を有してもよい。
【００２０】
また、前記腕掛け部は、半円形状の部分を有してもよい。
【００２１】
また、前記腕掛け部は、前方下方に傾斜していてもよい。
【００２２】
また、前記腕掛け部は、水平線に対して時計方向に６０度以上で９０度以下の角度をなしていてもよい。
【００２３】
また、前記腕掛け部は、開閉可能に構成されてもよい。
【００２４】
上述した少なくとも１つの課題を解決するために、本発明の一方面に係る取っ手セットは、上記いずれの取っ手であって引き開き側に取り付けられる第１取っ手と、上記いずれの前記取っ手であって押し開き側に取り付けられる第２取っ手と、を含み、前記第２取っ手は前記第１取っ手よりも左右方向の幅が大きい。
【発明の効果】
【００２５】
本発明によれば、手を使用せず腕のみで操作できる取っ手補助具及び取っ手を提供することができる。
【００２６】
上記した以外の課題、構成及び効果は、以下の実施形態の説明により明らかにされる。
【図面の簡単な説明】
【００２７】
【図１】第１実施形態に係る取っ手補助具のドアへの取付状態の一例を示す平面図である。
【図２】図１の取っ手補助具を示す斜視図である。
【図３】図１の取っ手補助具を示す（ａ）正面図、（ｂ）側面図、（ｃ）端面図である。
【図４】図１の取っ手補助具を取っ手に取り付けた際の取付状態の例を示す図である。
【図５】図１の取っ手補助具の使用状態を示す図である。
【図６】図１の取っ手補助具の使用状態を示す図である。
【図７】第１実施形態に係る取っ手補助具の他の例を示す斜視図である。
【図８】第１実施形態に係る取っ手補助具の他の例を示す斜視図である。
【図９】図８の取っ手補助具を示す図である。
【図１０】図８の取っ手補助具の使用状態を示す図である。
【図１１】第２実施形態に係る取っ手補助具のドアへの取付状態の一例を示す平面図である。
【図１２】図１１の第１取っ手補助具を示す（ａ）平面図、（ｂ）正面図、（ｃ）側面図である。
【図１３】図１１の押え板の一例を示す図である。
【図１４】図１１の第１取っ手補助具の使用状態を示す図である。
【図１５】図１１の第２取っ手補助具の使用状態を示す図である。
【図１６】図１１の第２取っ手補助具を示す（ａ）平面図、（ｂ）正面図、（ｃ）側面図である。
【図１７】図１６の取付部の一例を示す断面図である。
【図１８】第２実施形態に係る取っ手補助具を取っ手に取付けた際の取付状態を示す図である。
【図１９】第２実施形態に係る取っ手補助具を取っ手に取付けた際の取付状態を示す図である。
【図２０】第２実施形態に係る取っ手補助具を取っ手に取付けた際の取付状態を示す図である。
【図２１】第２実施形態に係る取っ手補助具を取っ手に取付けた際の取付状態を示す図である。
【図２２】第２実施形態に係る取っ手補助具を取っ手に取付けた際の取付状態を示す図である。
【図２３】第２実施形態に係る取っ手補助具を取っ手に取付けた際の取付状態を示す図である。
【図２４】第２実施形態に係る取っ手補助具の他の例を示す斜視図である。
【図２５】図２４の取っ手補助具の使用状態を示す図である。
【図２６】第２実施形態に係る取っ手補助具の他の例を示す正面図である
【図２７】第３実施形態に係る取っ手のドアへの取付状態の一例を示す図平面である。
【図２８】図２７の第１取っ手を示す（ａ）平面図、（ｂ）正面図、（ｃ）側面図である。
【図２９】第３実施形態に係る第２取っ手の他の例を示す（ａ）平面図、（ｂ）正面図、（ｃ）側面図である。
【図３０】第３実施形態に係る第２取っ手の他の例を示す図である。
【発明を実施するための形態】
【００２８】
以下に本発明の実施形態の例を図面を用いて説明する。なお、下記実施形態において共通する構成要素については、前出の符号と同様な符号を付し説明を省略することがある。また、構成要素等の形状、位置関係等に言及する場合は、特に明示した場合及び原理的に明らかにそうでないと考えられる場合等を除き、実質的にその形状等に近似または類似するもの等を含むものとする。
【００２９】
＜第１実施形態＞
図１は第１実施形態に係る取っ手補助具のドアへの取付状態の一例を示す平面図である。図２は図１の取っ手補助具を示す斜視図で、右側において前方上方から観察した図である。図３は図１の取っ手補助具を示す（ａ）正面図、（ｂ）側面図、（ｃ）端面図である。図１において、Ｘは左右方向（水平方向）を示し、Ｙは上下方向（鉛直方向）を示し、Ｚは前後方向（観察者所在方向が前方、その反対方向が後方）（深さ方向）を示す（以下各図において同じ）。
【００３０】
本願において、ドアの取っ手は、ドアを開閉操作するための把手を言い、円形など丸みを有する外形のドアノブ（ノブ型取っ手、握り玉型取っ手）やレバーハンドル（レバー型取っ手）、コ字形のドアハンドル（コ字型取っ手）などを含む。本実施形態に係る取っ手補助具は、ノブ型取っ手に好適である。
【００３１】
図示のように、通常、ドアＬには、取っ手装置Ｍが備えられる。取っ手装置Ｍは、ドアの引き開き側及び押し開き側のそれぞれに取り付けられる一対の取っ手Ｍａ及び取っ手Ｍｂ（取っ手セット）、これらの取っ手をドアに取り付けるための一対の取付座、及びラッチ等を含む。ドアＬはヒンジＬ１によりドア枠に取り付けられ、取っ手Ｍａ及び取っ手Ｍｂは、ドアＬにおける仕切り（ないしドア枠）Ｌ２に近い位置、即ち戸当り端部に近い位置に取り付けられ、ドアを開閉操作できるようになっている。
【００３２】
取っ手補助具セット１は、引き開き側の取っ手Ｍａに取付けられる第１取っ手補助具と、押し開き側の取っ手Ｍｂに取り付けられる第２取っ手補助具の一対の取っ手補助具からなる。なお、引き開き側の取っ手Ｍａ又は押し開き側の取っ手Ｍｂの一方にのみ取っ手補助具が取り付けられてもよい。ここでは、一例として、第１取っ手補助具及び第２取っ手補助具は同様に構成される。以下では、引き開き側を例に説明する。
【００３３】
取っ手補助具１０は、腕をかけて取っ手を操作するための湾曲形状の腕掛け部２と、腕掛け部２の基端側と接続する取付部３と、有する。取っ手補助具１０は、取付部３を介して取っ手に取り付けられる。腕掛け部２は、腕を挿入するための挿入部Ａを有し、ドアを開閉する際は、使用者の腕はこの挿入部Ａを通して腕掛け部２に到達し、腕掛け部２に掛けて、取っ手を操作するようになる。
【００３４】
腕掛け部２による取っ手の操作は、後述の図５及び図６に示すように、腕で回転して引くまたは押すのみである。そのため、取っ手補助具１によれば、手を使用せず腕のみで取っ手を操作でき、多数の人が同じ取っ手を握って操作することによる間接的接触感染を予防できる。また、手が金属の取っ手に触れることで発生する静電気を防止できる。また、手を自由に動かすことができない人や力が弱い人の取っ手の操作が容易になる。
【００３５】
以下では、取っ手補助具１０について詳細に説明する。取っ手補助具１０は、前述のように、腕掛け部２と、腕掛け部２の基端側と接続する取付部３とを有し、好ましくは、さらに、腕掛け部２の末端側と接続するガイド部４を有する。
【００３６】
腕掛け部２は、三方が囲まれ、一方が開放された枠状であり、三方の囲いにより腕掛け部２が構成され、一方の開放口により挿入部Ａが構成される。腕掛け部２は、平面視略Ｕ字形状ないしＣ字形状である。腕掛け部２は、樹脂などで成形されてもよいし、金属で形成されてもよい。腕掛け部２は、金属や樹脂等の硬い芯材にゴムやスポンジ等の緩衝性のある軟質材を巻き付ける、被せる、嵌め込むなどして形成されてもよい。腕掛け部２は、硬い芯材にそれより柔らかい軟質材をコーティングしたり、被覆したりして形成されてもよい。
【００３７】
腕掛け部２は、取っ手の右側に配置され、挿入部が左側に向いている。ノブ型取っ手は通常右回転（時計方向回転）して開くようになっているので、腕掛け部２を取っ手の右側に配置することで、ドアノブを右回転させる操作をしやすくする。
【００３８】
腕掛け部２は、左右方向に配置され、前方及び後方の囲い部分が左右方向に延在し、側方の囲い部分が前後方向に延在する。これらの囲い部分の成す面は、略水平面でもよいが、好ましくは、図示のように前方下方に傾斜する傾斜面である。言い換えれば、取っ手補助具１０は、腕掛け部２が前方下方に捻るように傾斜している。使用者がドアの前方に立って操作するため、腕掛け部２を取付面に対して前方下方に傾斜させ、前方側を後方側より低くすることで、使用者の腕の挿入や回転操作をしやすくする。
【００３９】
腕掛け部２は、挿入部に面し、腕を掛ける部分である本体部２１と、取付部３と接続する基端部２２と、基端部２２の反対側の端部である末端部２３とを有する。
【００４０】
本体部２１は、湾曲形状で、好ましくは、平面視円周の１／３以上の円弧形状（中心角が１２０°以上の円弧形状）で、より好ましくは、中心角が１９０°以上である。本体部２１は、例えば半円形状である。本体部２１の半円形状の内周の直径は、６０ｍｍ〜１２０ｍｍ程度で、好ましくは７０ｍｍ〜１００ｍｍで、例えば８５ｍｍである。本体部２１の断面は、円形や楕円形など丸みを有する形状である。一例として円形で、直径が１２ｍｍ〜４０ｍｍ程度で、好ましくは１５ｍｍ〜３５ｍｍで、例えば２０ｍｍである。このように円弧状にし、腕の外形に適合させることで、腕にやさしく接触させ、操作をスムーズにさせる。
【００４１】
基端部２２は、腕掛け部を支持する部分である。基端部２２は、本体部２１の円弧形状と共通の円周上の円弧の形状でもよいし、本体部２１の円弧形状と曲率半径が異なる円弧形状でもよいし、略直線状でもよい。基端部２２は、本体部２１よりやや太く形成されてもよいし、本体部２１から漸次太く形成されてもよい。
【００４２】
末端部２３は、本体部２１の円弧形状と共通の円周上の円弧の形状でもよいし、本体部２１の円弧形状と曲率半径が異なる円弧形状でもよいし、略直線状でもよい。末端部２３は、本体部２１よりやや太く形成されてもよいし、本体部２１から漸次太く形成されてもよい。
【００４３】
ガイド部４は、腕の腕掛け部２への挿入を容易にする部分で、挿入部ないし腕掛け部へ導く部分である。ガイド部４は、腕掛け部２の末端部２３と接続し、腕掛け部２と同角度で前方下方に傾斜する。ガイド部４は、平面視において挿入部の反対側に反る形状で、腕掛け部２の反対側に湾曲する形状である。ガイド部４は、腕掛け部２の本体部２１よりも曲率半径が大きい円弧形状に形成される。一例として、ガイド部４の断面は、腕掛け部２と同様に円形に形成される。また、ガイド部４は、腕掛け部２よりやや太く形成されてもよいし、漸次太く形成されてもよい。
【００４４】
取付部３は、腕掛け部２を取っ手に取付けるための部分で、別体に形成される第１取付部３１及び第２取付部３２から構成される。第１取付部３１及び第２取付部３２は正面視略半円形状で、両者が合わさって略円形状である。腕掛け部２は、第１取付部３１の外周面の略中間位置に連なる。第１取付部３１及び第２取付部３２には、径方向外側に突出する締付部３０１がそれぞれ２対設けられる。締付部３０１にはねじ孔が設けられ、図示しないねじなどの締結部材が螺合される。取っ手補助具１０は、取付部３が第１取付部３１及び第２取付部３２の２つの部分に分かれて形成され、両側から挟むように取っ手に取付けられるため、取っ手の外形や大きさのばらつきに対応しやすい。
【００４５】
第１取付部３１及び第２取付部３２は、略半円筒形状で、左右線対称に構成される。第１取付部３１は、第２取付部３２と同様に独立した部材でもよいが、好ましくは、図示のように、腕掛け部２と一体に形成される。以下では、第１取付部３１を例に説明する。
【００４６】
第１取付部３１は、周方向に延在する一対のスリット３０２を有する。一対のスリット３０２は、対称的に設けられ、第１取付部３１の外周面から肉厚を貫通して内周面に達している。第１取付部３１は、スリット３０２を境に、取っ手の握り部分の前方部分と当接する第１当接部３１１と、取っ手の握り部分の後方部分と当接する第２当接部３１２とに分かれる。このように、取付部はさらに第１当接部３１１と第２当接部３１２とに分かれて取っ手の握り部分と当接するため、取っ手の形状にさらに適合しやすくなる。
【００４７】
図３（ｃ）に示すように、第１取付部３１の第１当接部３１１及び第２取付部３２の第１当接部３２１の前端には内周面から径方向内方に突出する係止部３０３が設けられる。図示のように、係止部３０３は、断面視爪状に形成される。係止部３０３は、第１当接部の全周に亘って半円環状に設けられてもよいし、数か所分かれて設けられてもよい。係止部３０３を設けることにより、取っ手補助具１０の後方への移動を抑制できる。
【００４８】
第１取付部３１の第２当接部３１２及び第２取付部３２の第２当接部３２２は、前端の内周幅（直径）が第１当接部と略同じで、後端の内周幅（直径）がこれより小さく、内周面３０４が後方に向かって漸次縮径し、断面視略テーパ状である。第２当接部３１２及び３２２は、内周面のみがテーパ状に形成されてもよいが、好ましくは、外周面を含む全体が断面視テーパ状に形成される。第２当接部３１２及び３２２をこのように形成することにより、取っ手補助具１０の前方への移動を抑制できる。一例として、第２当接部の前端の内周面と後端の内周面との半径差は、係止部３０３の突出高さと略同じである。
【００４９】
取付部３は、全体の深さＤが、３０．０ｍｍ〜５０．０ｍｍ程度で、好ましくは３５．０ｍｍ〜４５．０ｍｍで、例えば３８．０ｍｍである。肉厚Ｅが、５．０ｍｍ〜１６．０ｍｍ程度で、好ましくは６．０ｍｍ〜１４．０ｍｍで、例えば８．０ｍｍである。係止部の突出高さＦが例えば２．０ｍｍである。係止部の肉厚Ｇが、１．０ｍｍ〜６．０ｍｍ程度で、好ましくは１．５ｍｍ〜４．０ｍｍで、例えば２．０ｍｍである。
【００５０】
図４は図１の取っ手補助具１０を取っ手に取り付けた際の取付状態の例を示す図である。ノブ型の取っ手であっても、製造者により握り部分の形状が異なり、大きさも異なる。図示のように、取っ手補助具１０は形状や大きさにばらつきがある各種の取っ手に適用できる。
【００５１】
図４（ａ）は握り部分の断面形状が略台形で、後端よりも前端の直径が大きく、前後端直径差が小さいノブ型取っ手に取っ手補助具を取り付けた例を示す図である。取っ手の握り部分の最大直径（前端直径）は５０ｍｍである。取っ手補助具１０は、このような取っ手に好適であり、第１当接部の係止部３０３が取っ手の前端に係止して、取っ手補助具の後方への移動を抑制する。また、第２当接部の内周面３０４が取っ手の外周面と当接して取っ手補助具の前方への移動を抑制する。
【００５２】
図４（ｂ）は握り部分の断面形状が略台形で、後端よりも前端の直径が大きく、前後端直径差が大きいノブ型取っ手に取っ手補助具を取り付けた例を示す図である。取っ手の最大直径（前端直径）は５１ｍｍである。取っ手補助具１０は、このような取っ手にも好適であり、第１当接部の係止部３０３が取っ手の前端に係止して取っ手補助具の後方への移動を抑制する。また、第２当接部の内周面３０４が取っ手の外周面と当接して取っ手補助具の前方への移動を抑制するとともに、ゴムなどのクッション部材６０１が第２当接部の内周面３０４に設けられ、ねじの締付度合いを調整することで移動をさらに抑制する。
【００５３】
図４（ｃ）は握り部分の断面形状が略太鼓形で、中間部分の直径が最も大きく、前後端直径差が小さいノブ型取っ手に取っ手補助具を取り付けた例を示す図である。取っ手の最大直径は５２ｍｍである。取っ手補助具１０は、このような取っ手にも好適であり、第１当接部の係止部３０３が取っ手の前端のやや後方に係止し、ねじの締付度合いの調整により矢印方向に圧力が加わって取っ手補助具の後方への移動を抑制する。また、第２当接部の内周面３０４が取っ手の外周面と当接して取っ手補助具の前方への移動を抑制する。
【００５４】
図４（ｄ）は握り部分の断面形状がワイングラス形で、中間位置よりもやや後方部分の直径が最も大きく、前後端直径差が大きいノブ型取っ手に取っ手補助具を取り付けた例を示す図である。取っ手の最大直径は５２ｍｍである。取っ手補助具１０は、このような取っ手にも好適であり、第１当接部の内周面に係止部３０３に隣接してその後方にクッション部材６０１が設けられ、係止部３０３がクッション部材６０１と係止し、螺子の締付度合いの調整により矢印方向に圧力が加わって取っ手補助具の後方への移動を抑制する。また、第２当接部の内周面３０４が取っ手の外周面と当接することで取っ手補助具の前方への移動を抑制する。
【００５５】
なお、取っ手補助具１０の取付部は、形状や大きさにばらつきがある各種の取っ手に適用しやすいように構成され、さらにクッション材を用いれば幅広く対応できるが、それぞれの取っ手の形状に合わせたその取っ手専用の補助具として構成されてもよい。その場合、取付部の内周面の形状や大きさは、取っ手の握り部分の外周面の形状や大きさと対応し、スリット３０２の前後幅は１．０ｍｍ〜５．０ｍｍ程度となるようにする。
【００５６】
また、腕掛け部２は、後述の取っ手のように開閉可能に構成されてもよい。一例として、腕掛け部２は、別体に形成された前後２つの部分を含み、前半部分と後半部分とが接近・離開可能に接続され、挿入部が開閉可能になっていてもよい。例えば、本体部の略中間部分にヒンジ部が設けられ、このヒンジ部により前半部分と後半部分とが接近・離開可能に接続される。このように構成することで、取っ手補助具に使用者や物がぶつかる場合に備え、そのような場合でも腕掛け部が閉じることで相手に損傷を与えないようにする。
【００５７】
図５は図１の取っ手補助具の使用状態を示す図で、引き開き側を示す図である。図５（ａ）に示すように、取っ手補助具１０は、左右方向に略水平に取り付けられ、腕掛け部２が取っ手の右側に配置される。腕掛け部２は後方側よりも前方側が低い位置にあり、取付面（ドア前面）に対して前方下方に９０度以下の角度で傾斜している。図５（ｂ）に示すように、挿入部から右腕を矢印方向に通す。図５（ｃ）に示すよう、右腕を腕掛け部２にかけて右方向（時計方向）に回転し、前方に引くと、ドアを引き開きすることができる。
【００５８】
図６は図１の取っ手補助具の使用状態を示す図で、押し開き側を示す図である。図６（ａ）に示すように、取っ手補助具１０は、左右方向に略水平に取り付けられ、腕掛け部２が取っ手の右側に配置される。腕掛け部２は後方側よりも前方側が低い位置にあり、取付面（ドア前面）に対して前方下方に９０度以下の角度で傾斜している。図６（ｂ）に示すように、挿入部から右腕を矢印方向に通す。図６（ｃ）に示すよう、右腕を腕掛け部２にかけて右方向（時計方向）に回転し、後方に押すと、ドアを押し開きすることができる。
【００５９】
図６（ｃ）に示すように、押し開きする際に、手が仕切りにぶつからないようにする必要があり、所定間隔Ｈ以上の間隔が必要である。取っ手補助具１０は、押し開き側では腕掛け部２が仕切りの反対側に配置されるため、手が仕切りにぶつかることは少ないが、例えば、腕掛け部の基端部の左右方向の長さを長く形成することで、押し開き側の取っ手補助具の左右方向の幅を引き開き側より大きく形成し、本体部をヒンジ側にずらして、所定間隔Ｈを確保しやすくしてもよい。
【００６０】
図７は第１実施形態に係る取っ手補助具の他の例を示す斜視図で、取っ手の左側において前方上方から観察した図である。取っ手補助具１０は、腕掛け部２と、腕掛け部２の基端側と接続する取付部３と、腕掛け部２の末端側と接続するガイド部４を有する。ここでは、取っ手補助具１０は、腕掛け部２及びガイド部４が前述例と異なる。以下では、前述例と異なる点を主として説明する。
【００６１】
ここでは、取っ手補助具１０は、腕掛け部２が取っ手の左側に配置される。ノブ型取っ手は左回転（反時計方向回転）して開くようになっている場合があるので、腕掛け部２を取っ手の左側に配置することで、ドアノブを左回転させる操作をしやすくする。
【００６２】
ここでは、取っ手補助具１０は、軽量化されている。取っ手の握り部分を回転させた後は復帰バネにより復帰させる必要があるが、取っ手補助具を取り付けた場合は復帰バネのバネ力が相対的に弱くなるので、取っ手補助具を軽量化することが望ましい。引き開き側及び押し開き側の両方に取り付ける場合、取っ手補助具１０は単体で１５０ｇ以下が好ましく、１２０ｇ以下がより好ましい。
【００６３】
軽量化の一例として、図示のように、腕掛け部２及びガイド部４が、断面が三日月形状に形成される。三日月形状の凸部が内方（内周側）に向いており、三日月形状の凹部が外方（外周側）に向いている。言い換えれば、取っ手補助具１０は、腕掛け部２及びガイド部４にその延在方向に沿って、外周面がえぐられたように、外周面から内方に凹む溝部２４を有する。腕掛け部２及びガイド部４の内周面は一例として断面視楕円の円周の一部からなる円弧形状である。
【００６４】
なお、前述例及び後述例においても、腕掛け部及びガイド部が軽量化され、腕掛け部及びガイド部にその延在方向に沿って外周面から内方に凹む溝部が設けられてもよい。
【００６５】
図８は第１実施形態に係る取っ手補助具の他の例を示す斜視図である。図９は図８の取っ手補助具を示す図で、図９（ａ）は正面図、図９（ｂ）はガイド部４を示す平面図、図９（ｃ）は腕掛け部２及びガイド部４を示す側面図である。ここでは、取っ手補助具１０は、腕掛け部２、取付部３及びガイド部４が前述例と異なる。以下では、前述例と異なる点を主として説明する。
【００６６】
前述例では、取付部３の第１取付部及び第２取付部において一対の締付部３０１が鉛直方向に並び、腕掛け部２が略水平に配置されていたが、ここでは、取付部３の第１取付部及び第２取付部において締付部３０１が水平線に対して３０度以下の角度で反時計方向に傾斜し、腕掛け部２が水平線に対して６０度以上で９０度以下の角度で時計方向に傾斜するように配置される。言い換えれば、腕掛け部２は、正面視全体として右方下方に傾斜している。腕掛け部２は前方部分と後方部分が正面視同位置に配置され、取っ手よりやや右方に配置される。このように構成することで、取っ手補助具１０は水平方向の幅を狭く形成でき、コンパクト化することができる。また、このように構成しても、後述の図１０のように腕を腕掛け部２にかけて操作するので操作性が阻害されることはない。
【００６７】
ガイド部４は、ここでは、内周面が挿入部Ａの反対側に反る形状で、図示の矢印で示すように滑らかな曲線状である。ガイド部４は、左右方向の幅が広く形成される。一例として、正面視略楕円形状で、長径方向が腕掛け部２の延在方向と略直交する。すなわち、ガイド部４は、腕掛け部２よりも左右方向に膨出して大きく形成される。これにより、外部からの圧力（例えば、ガイド部にお腹がぶつかる）が掛かった際に、力を受ける面が広いので局部での圧力を分散することが出来る。
【００６８】
腕掛け部２は、軽量化されてもよい。一例として、腕掛け部２の少なくとも一部及びガイド部４の少なくとも一部に、その延在方向に沿って外周面から内方に凹む溝部２４が設けられてもよい。言い換えれば、腕掛け部２の少なくとも一部及びガイド部４の少なくとも一部は、断面形状的に見て中抜きしてもよい。このようにすることで柔軟性が増し、耐衝撃性が高まる。
【００６９】
図１０は図８の取っ手補助具の使用状態を示す図で、引き開き側を示す図である。図１０（ａ）に示すように、腕掛け部２は、取っ手よりやや右側に配置される。図６（ｂ）に示すように、腕掛け部２の挿入部から右腕を通す。図６（ｃ）に示すよう、右腕を腕掛け部２にかけて右方向（時計方向）に回転し、前方に引くと、ドアを引き開きすることができる。
【００７０】
＜第２実施形態＞
図１１は第２実施形態に係る取っ手補助具のドアへの取付状態の一例を示す平面図で、図１２は図１１の第１取っ手補助具を示す（ａ）平面図、（ｂ）正面図、（ｃ）側面図である。本実施形態に係る取っ手補助具は、レバー型取っ手に好適である。なお、前述例との共通点については説明を省略する場合がある。
【００７１】
取っ手補助具セット１は、引き開き側の取っ手Ｍａに取付けられる第１取っ手補助具と、押し開き側の取っ手Ｍｂに取り付けられる第２取っ手補助具の一対の取っ手補助具からなる。なお、引き開き側の取っ手Ｍａ又は押し開き側の取っ手Ｍｂの一方にのみ取っ手補助具が取り付けられてもよい。第１取っ手補助具及び第２取っ手補助具は対称的に構成されてもよく、図示すように異なるものでもよい。以下では、まず、引き開き側の取っ手補助具１１ａの例を説明する。
【００７２】
引き開き側の取っ手補助具１１ａ（第１取っ手補助具）は、腕をかけて取っ手を操作するための湾曲形状の腕掛け部２ａと、腕掛け部２ａの基端側と接続する取付部３ａと、有する。取っ手補助具１１ａは、取付部３ａを介して取っ手に取り付けられる。腕掛け部２ａは、挿入部Ａを有し、ドアを開閉する際は、使用者の腕はこの挿入部Ａを通して腕掛け部２に到達し、腕掛け部２ａに掛けて、取っ手を操作するようになる。
【００７３】
腕掛け部２ａによる取っ手の操作は、後述の図１３に示すように、腕で回転して引くのみである。そのため、取っ手補助具１によれば、手を使用せず腕のみで取っ手を操作でき、多数の人が同じ取っ手を握って操作することによる間接的接触感染を予防できる。また、手が金属の取っ手に触れることで発生する静電気を防止できる。また、手を自由に動かすことができない人や力が弱い人の取っ手の操作が容易になる。
【００７４】
以下では、取っ手補助具１１ａについて詳細に説明する。取っ手補助具１１ａは、前述のように、腕掛け部２ａと、腕掛け部２ａの基端側と接続する取付部３ａとを有し、好ましくは、さらに、腕掛け部２ａの末端側と接続するガイド部４ａを有する。また、取っ手補助具１１ａは、取付部３ａと締結する締結部５を含む。
【００７５】
腕掛け部２ａは、三方が囲まれ、一方が開放された枠状であり、三方の囲いにより腕掛け部２ａが構成され、一方の開放口により挿入部Ａが構成される。腕掛け部２ａは、平面視略Ｕ字形状ないしＣ字形状である。腕掛け部２は、樹脂などで成形されてもよいし、金属で形成されてもよい。腕掛け部２ａは、金属や樹脂等の硬い芯材にゴムやスポンジ等の緩衝性のある軟質材を巻き付ける、重ねる、嵌め込むなどして形成されてもよい。腕掛け部２ａは、硬い芯材にそれより柔らかい軟質材をコーティングしたり、被覆したりして形成されてもよい。
【００７６】
図示のように、腕掛け部２ａは、取っ手の左側に配置され、挿入部が右側に向いている。レバー型取っ手は、引き開き側では通常左回転（反時計方向回転）して開くようになっているので、腕掛け部２ａを左側に配置することで、取っ手を左回転させる操作をしやすくする。
【００７７】
腕掛け部２ａは、左右方向に配置され、前方及び後方の囲い部分が左右方向に延在し、側方の囲い部分が前後方向に延在する。これらの囲い部分の成す面は、略水平面でもよいが、好ましくは、図示のように前方下方に傾斜する傾斜面である。言い換えれば、取っ手補助具１１ａは、腕掛け部２ａが前方下方に捻るように傾斜している。使用者がドアの前方に立って操作するため、腕掛け部２を取付面に対して前方下方に傾斜させ、前方側を後方側より低くすることで、使用者の腕の挿入や回転操作をしやすくする。
【００７８】
腕掛け部２ａは、挿入部に面し、腕を掛ける部分である本体部２１ａと、取付部３ａと接続する基端側の基端部２２ａと、末端側の末端部２３ａとを有する。腕掛け部２ａは前述例のように軽量化され、溝部が形成されてもよい。
【００７９】
本体部２１ａは、湾曲形状で、好ましくは、平面視円周の１／３以上の円弧形状（中心角が１２０°以上の円弧形状）で、より好ましくは、中心角が１９０°以上である。本体部２１ａは、例えば半円形状である。本体部２１ａの半円形状の内周の直径は、６０ｍｍ〜１２０ｍｍ程度で、好ましくは７０ｍｍ〜１００ｍｍで、例えば８５ｍｍである。本体部２１ａの断面は、一例として円形で、直径が１２ｍｍ〜４０ｍｍ程度で、好ましくは１５ｍｍ〜３５ｍｍで、例えば２０ｍｍである。本体部２１ａの断面は、楕円形状であったり、多角形であったりしてもよい。本体部２１ａは、内側や側面付近が曲面で構成することが好ましい。このように本体部２１ａを円弧状にし、腕の外形に適合させることで、腕にやさしく接触させ、操作をスムーズにさせる。
【００８０】
基端部２２ａは、腕掛け部を支持する部分である。基端部２２ａは、全体として略直線状である。基端部２２ａは外周面で取付部３ａの前面と接続する。より具体的には、基端部２２ａ全体が取付部３ａの前板部３１ａの前面に重なるように構成される。基端部２２ａの先端部分は、第１締付部３０１ａよりも戸当り方向に位置する。基端部２２ａの内周面は略円弧状に形成される。基端部２２ａの先端部分は肉厚が漸次薄くなるように形成され、平面視丸みを有する傾斜面になっている。基端部２２ａは、例えば、取っ手の左右幅の２／３以上と重なるように構成される。
【００８１】
末端部２３ａは、本体部２１ａの円弧形状と共通の円周上の円弧の形状でもよいし、本体部２１ａの円弧形状と曲率半径が異なる円弧形状でもよいし、略直線状でもよい。末端部２３ａは、本体部２１ａよりやや太く形成され、本体部２１ａから漸次太く形成されてもよい。
【００８２】
ガイド部４ａは、腕の腕掛け部２ａへの挿入を容易にする部分で、挿入部ないし腕掛け部へ導く部分である。ガイド部４ａは、腕掛け部２ａの末端部２３ａと接続し、腕掛け部２ａと同角度で前方下方に傾斜している。ガイド部４ａは、平面視において挿入部の反対側に反る形状で、腕掛け部２ａの反対側に湾曲する形状である。ガイド部４ａは、一例として、腕掛け部２ａの本体部２１ａよりも曲率半径が大きい円弧形状に形成される。ガイド部４ａは、腕掛け部２ａよりやや太く形成され、漸次太く形成されてもよいし、やや細く形成され、漸次細く形成されてもよい。
【００８３】
取付部３ａは、腕掛け部２ａを取っ手に取り付けるための部分である。取付部３ａは、左右方向に延在する前板部３１ａと、前後方向に延在する側板部３２ａとを有して、平面視略Ｌ字形状を有する。レバー型取っ手に取り付ける際は、前板部３１ａが取っ手の前端側に当接する。側板部３２ａは、取っ手の角部に係止して、取っ手補助具の移動を抑制する。
【００８４】
取付部３ａは、前板部３１ａからそれぞれ上方または下方に突出し、対となっている締付部を２対有する。戸当り側に近い一対の締付部３０１ａとそれよりもヒンジ側に位置する一対の締付部３０５ａは、左右に並んで配置され、それぞれの締付部に対してねじ孔が設けられる。これらのねじ孔には、締結部５の締結部材が螺合される。
【００８５】
締結部５は、締結部材５１と、カラー５２と、押え板５３と、ナット５４とを含む。
【００８６】
締結部材５１は、取付部３ａの締付部の数分だけ備えられ、締付部のねじ孔と螺合する。締結部材５１は、例えば、ボルトやなべ頭ねじなどである。締結部材５１は、プラスドライバ、マイナスドライバで締め付けられるものが好ましい。
【００８７】
カラー５２は、締結部材５１に挿通され、締付部の後面に当接し、押え板５３との間で所定間隔を保持する部材である。カラー５２の長さは、レバー型取っ手の握り部分の厚みと対応している。カラー５２は、締結部材５１の数分だけ備えられてもよいが、一の締結部材５１に対して長さが異なるものが複数備えられ、適用する取っ手に応じて適宜選択して用いられてもよい。
【００８８】
押え板５３は、取っ手の握り部分の後面に当てられ、カラー５２の次に締結部材５１に挿通されて前方に押え当てる部材である。押え板５３は、一例として、図示のように、上下一対の締結部材５１に対して１つ備えられ、左右２対の締結部材に対して一対備えられる。押え板５３は、左右部分が一体となって左右で共用され、左右２対の締結部材５１に対して１つ備えられてもよい。
【００８９】
図１３は押え板５３の一例を示す図である。図１３（ａ）に示すように、押え板５３は、上下の締結部材５１に挿通するための一対の孔部５３１を有する。図１３（ｂ）は図１３（ａ）のＩＩ線断面図である。一例として、図示のように、押え板５３は、前面に取っ手の握り部分（レバー部分）と当接する湾曲当接面５３２が設けられる。取っ手の握り部分が円形などの形状の場合は、湾曲当接面５３２を設けることで、握り部分との当接をより緊密にし、取っ手補助具の摺動を抑制できる。
【００９０】
ナット５４は、締結部材５１の数分だけ備えられ、押え板５３の次に締結部材５１に挿通され、締結部材５１と螺合する。ナット５４は、好ましくは、袋ナットである。
【００９１】
図１４は引き開き側の取っ手補助具１１ａ（第１取っ手補助具）の使用状態を示す図である。図１４（ａ）に示すように、取っ手補助具１１ａは、略水平に取り付けられ、腕掛け部２ａが取っ手の左側に配置される。腕掛け部２ａは後方側よりも前方側が低い位置にあり、取付面（ドア前面）に対して前方下方に９０度以下の角度で傾斜している。図１４（ｂ）に示すように、挿入部から左腕を矢印方向に通す。図１４（ｃ）に示すよう、左腕を腕掛け部２ａにかけて左方向（反時計方向）に回転し、前方に引くと、ドアを引き開きすることができる。
【００９２】
図１５は押し開き側の取っ手補助具１１ｂ（第２取っ手補助具）の使用状態を示す図である。図１５（ａ）に示すように、取っ手補助具１１ｂは、略水平に取り付けられ、腕掛け部２ｂが取っ手の右側に配置される。腕掛け部２ｂは後方側よりも前方側が低い位置にあり、取付面（ドア前面）に対して前方下方に９０度以下の角度で傾斜している。図１５（ｂ）に示すように、挿入部から右腕を矢印方向に通す。図１５（ｃ）に示すように、右腕を腕掛け部２ｂにかけて右方向（時計方向）に回転し、後方に押すと、ドアを押し開きすることができる。
【００９３】
押し開き側の取っ手補助具１１ｂは、一例として、引き開き側の取っ手補助具１１ａと対称的に構成される。後述のように、腕掛け部が水平に構成される場合は、取っ手補助具１１ａ同形状のものを１８０度異なる方向に取り付けることで簡単に取っ手補助具１１ｂを構成できる。
【００９４】
一方で、図１５（ｃ）に示すように、押し開きする際に、手が仕切りにぶつからないようにする必要があり、仕切りとの間に所定間隔Ｈ以上の間隔を空ける必要がある。この間隔を確保するため、取っ手補助具１１ｂの腕掛け部２ｂは、取っ手補助具１１ａよりも、戸当り端部から遠くなるように構成されることが望ましい。以下では、このような取っ手補助具１１ｂを説明する。
【００９５】
図１６は押し開き側の取っ手補助具１１ｂ（第２取っ手補助具）の一例を示す（ａ）平面図、（ｂ）正面図、（ｃ）側面図である。以下では、前述例と異なる点を主として説明する。
【００９６】
取っ手補助具１１ｂは、腕掛け部２ｂと、腕掛け部２ｂの基端側と接続する取付部３ｂとを有し、好ましくは、さらに、腕掛け部２ｂの末端側と接続するガイド部４ｂを有する。取っ手補助具１１ｂは、さらに、取付部３ｂと締結する締結部５を含む。ガイド部４ｂは前述取っ手補助具１１ａと左右線対称に構成され、ここでは詳細な説明を省略する。
【００９７】
腕掛け部２ｂは、三方が囲まれ、一方が開放された枠状であり、三方の囲いにより腕掛け部２ｂが構成され、一方の開放口により挿入部が構成される。腕掛け部２ｂは、平面視略Ｕ字形状ないしＣ字形状である。図示のように、腕掛け部２ｂは、取っ手の右側に配置され、挿入部が左側に向いている。レバー型取っ手は、押し開き側では通常右回転（時計方向回転）して開くようになっているので、腕掛け部２ｂを右側に配置することで、取っ手を右回転させる操作をしやすくする。
【００９８】
図示のように、腕掛け部２ｂは、左右方向に配置され、前方及び後方の囲い部分が左右方向に延在し、側方の囲い部分が前後方向に延在する。これらの囲い部分の成す面は、略水平面でもよいが、好ましくは、図示のように前方下方に傾斜する傾斜面である。言い換えれば、取っ手補助具１１ｂは、腕掛け部２ｂが前方下方に捻るように傾斜している。使用者がドアの前方に立って操作するため、腕掛け部２ｂを取付面に対して前方下方に傾斜させ、前方側を後方側より低くすることで、使用者の腕の挿入や回転操作をしやすくする。
【００９９】
腕掛け部２ｂは、挿入部に面し、腕を掛ける部分である本体部２１ｂと、取付部３ｂと接続する基端側の基端部２２ｂと、末端側の末端部２３ｂとを有する。本体部２１ｂ及び末端部２３ｂは、前述取っ手補助具１１ａの本体部及び末端部と対称に構成され、ここでは詳細な説明を省略する。
【０１００】
基端部２２ｂは、ここでは、先端部分の外周面で取付部３ｂの前面と接続する。すなわち、前述の取っ手補助具１１ａは、基端部２２ａ全体が取付部３ａの前板部の前面に重なるように構成されているのに対して、取っ手補助具１１ｂは基端部２２ｂが戸当り端部から遠ざかる方向にずらされ、先端部分が第１締付部３０１ｂよりもヒンジ側に位置する。腕掛け部２ｂは、例えば、取っ手の左右幅の１／３以下と重なるように構成される。これにより、取っ手補助具１１ｂは左右方向の幅が大きくなり、腕掛け部２ｂがヒンジ方向にずらされ、所定間隔Ｈの確保が容易となる。
【０１０１】
取付部３ｂは、腕掛け部２ｂを取っ手に取付けるための部分である。取付部３ｂは、左右方向に延在する前板部３１ｂと、前後方向に延在する側板部３２ｂとを有して、平面視略Ｌ字形状である。レバー型の取っ手に取付ける際は、前板部３１ｂが取っ手の前端側に当接する。側板部３２ｂは、取っ手の角部に係止して、取っ手補助具の移動を抑制する。
【０１０２】
図１７は図１６の取付部のＪＪ線断面図で、取付部３ｂの前板部３１ｂの一例を示す図である。図示のように、一例として、前板部３１ｂは、後面において上下方向の略中央部分に湾曲当接面３０６ｂが設けられる。取っ手Ｍｂの握り部分の断面が円形などの場合があり、このような場合は、湾曲当接面３０６ｂを設けることで、取っ手との当接をより緊密にし、取っ手補助具１１ｂの摺動を抑制できる。なお、このような湾曲当接面は、前述の取っ手補助具１１ａにも設けられてもよい。
【０１０３】
図１８〜図２２は本実施形態に係る取っ手補助具を取っ手に取り付けた際の取付状態を示す図である。レバー型取っ手であっても、製造者により握り部分の形状が異なり、大きさも異なる。図示のように、本実施形態に係る取っ手補助具は形状や大きさにばらつきがある各種の取っ手に適用できる。なお、ここでは、取っ手補助具１１ｂの例を図示し説明する。
【０１０４】
図１８（ａ）はレバー型取っ手Ｍｂの一例を示す平面図で、図１８（ｂ）はその正面図である。ここでは、取っ手Ｍｂの握り部分は、上下幅が広いが、前後の厚みが小さく、末端部分が湾曲する形状である。図１８（ｃ）の平面図及び図１８（ｄ）の正面図で示すように、取っ手補助具１１ｂは、このような取っ手に好適である。取っ手Ｍｂの握り部分に対して、取付部３ｂの前板部３１ｂが前方で当接し、側板部３２ｂが角部と係合する。また、ここでは、カラー５２は、外径が小さいく、長さが短いものが用いられる。
【０１０５】
図１９（ａ）はレバー型取っ手Ｍｂの一例を示す平面図で、図１９（ｂ）はその正面図である。ここでは、取っ手Ｍｂの握り部分は、上下幅が狭いが、前後の厚みが大きい形状である。図１９（ｃ）の平面図及び図１９（ｄ）の正面図で示すように、取っ手補助具１１ｂは、このような取っ手にも好適である。取っ手Ｍｂの握り部分に対して、取付部３ｂの前板部３１ｂが前方で当接し、側板部３２ｂが角部と係合する。また、ここでは、カラー５２は、外径が大きいものが用いられる。
【０１０６】
図２０（ａ）はレバー型取っ手Ｍｂの一例を示す平面図で、図２０（ｂ）はその正面図である。ここでは、取っ手Ｍｂの握り部分は、断面が円形で、末端部分が湾曲する形状である。図２０（ｃ）の平面図及び図２０（ｄ）の正面図で示すように、取っ手補助具１１ｂは、このような取っ手にも好適である。取っ手Ｍｂの握り部分に対して、取付部３ｂの前板部３１ｂが前方で当接し、側板部３２ｂが角部と係合する。また、ここでは、前板部３１ｂの後面及び押え板５３の前面には、湾曲当接面が設けられ、取っ手補助具１１ｂの摺動が抑制される。
【０１０７】
図２１（ａ）はレバー型取っ手Ｍｂの一例を示す平面図で、図２１（ｂ）はその正面図である。ここでは、取っ手Ｍｂの握り部分は、正面視湾曲形状で、上下幅が変動する形状である。図２０（ｃ）の平面図及び図２０（ｄ）の正面図で示すように、取っ手補助具１１ｂは、このような取っ手にも好適である。取っ手Ｍｂの握り部分に対して、取付部３ｂの前板部３１ｂが前方で当接し、側板部３２ｂが角部と係合する。また、ここでは、カラー５２は、外径が大小異なるもの（カラー５２２がカラー５２１より外形が大きい）が用いられる。
【０１０８】
図２２（ａ）はレバー型取っ手Ｍｂの一例を示す平面図で、図２２（ｂ）はその正面図である。ここでは、取っ手Ｍｂの握り部分は、平面視前方に凸出する円弧形状である。そのため、平面視直線状である取付部の後面と当接する際に矢印Ｋで示す部分に隙間ができてしまう。図２２（ｃ）の平面図及び図２２（ｄ）の正面図で示すように、取っ手補助具１１ｂは、このような取っ手にも好適である。取っ手Ｍｂの握り部分に対して、取付部３ｂの前板部３１ｂが前方で当接し、側板部３２ｂが角部と係合する。また、ここでは、ゴム輪などのスペーサ６０２を前板部３１ｂ及び取っ手の握り部分に嵌め込むことで隙間Ｋ部分に対処する。
【０１０９】
図２３は図１６の取っ手補助具１１ｂを取っ手に取り付けた際の取付状態を示す図である。取っ手補助具１１ｂは、コの字型の取っ手にも好適である。図２３（ａ）はコの字型取っ手Ｍｂの一例を示す平面図で、図２３（ｂ）はその正面図である。ここでは、取っ手Ｍｂは上下方向に延在している。図２３（ｃ）の平面図及び図２３（ｄ）の正面図で示すように、取っ手補助具１１ｂは取っ手Ｍｂに沿って上下方向に取り付けられ、握り部分に対して、取付部３ｂの前板部３１ｂが前方で当接し、側板部３２ｂが角部と係合する。前述の例のようにカラー５２を用いてもよいが、図示のようにカラー５２を省略してもよい。
【０１１０】
なお、取っ手補助具１１の取付部は、形状や大きさにばらつきがある各種の取っ手に適用しやすいように構成され、湾曲当接面を設けたり、締結部の構成部材を適宜選択したりすることで、幅広く対応できるが、それぞれの取っ手の形状に合わせたその取っ手専用の補助具として構成されてもよい。その場合、取付部の形状や大きさは適用されるその取っ手の握り部分の形状や大きさに合わせる。
【０１１１】
また、腕掛け部は、後述の取っ手のように開閉可能に構成されてもよい。一例として、腕掛け部は、別体に形成された前後２つの部分を含み、前半部分と後半部分とが接近・離開可能に接続され、挿入部が開閉可能になっていてもよい。例えば、本体部の略中間部分にヒンジ部が設けられ、このヒンジ部により前半部分と後半部分とが接近・離開可能に接続される。このように構成することで、取っ手補助具に使用者や物がぶつかる場合に備え、そのような場合でも腕掛け部が閉じることで相手に損傷を与えないようにする。
【０１１２】
図２４は第２実施形態に係る取っ手補助具の他の例を示す斜視図である。なお、ここでは、取っ手補助具１１ｂの他の例を図示し説明するが、取っ手補助具１１ａも同様に構成できる。
【０１１３】
取っ手補助具１１ｂは、腕掛け部２ｂと、腕掛け部２ｂの基端側と接続する取付部３ｂと、腕掛け部２ｂの末端側と接続するガイド部４ｂとを有する。取っ手補助具１１ｂは、腕掛け部２ｂ及びガイド部４ｂが前述の例と異なる。以下では、前述例と異なる点を主として説明する。
【０１１４】
前述例では、腕掛け部２ｂは、左右方向に略水平に配置されているが、ここでは、略水平に配置されている取付部３ｂに対して９０度以上で１２０度以下の角度をなすように構成される。言い換えれば、腕掛け部２ｂは、水平線に対して時計方向に６０度以上で９０度以下の角度をなしている。このように構成することで、取っ手補助具１０ｂは水平方向の幅を狭く形成でき、コンパクト化することができる。
【０１１５】
また、好ましくは、腕掛け部２ｂは、囲い部分のなす面が捻るように前方左方に傾斜している。すなわち、腕掛け部２ｂは、前方部分が後方部分よりも左方に傾斜している。使用者が前方右方で操作するため、このように構成することで腕の挿入及び回転操作がしやすくなる。
【０１１６】
ガイド部４ｂは、腕掛け部２ｂよりも左右方向に膨出して大きく形成される。このように左右方向の幅を広くすることで、腕の挿入をさらにガイドしやすくなる。
【０１１７】
図２５は図２４の取っ手補助具の使用状態を示す図で、押し開き側を示す図である。図２５（ａ）に示すように、腕掛け部２ｂは、取っ手よりやや右側に配置される。図２５（ｂ）に示すように、腕掛け部２ｂの挿入部から右腕を通す。図２５（ｃ）に示すよう、右腕を腕掛け部２ｂにかけて右方向（時計方向）に回転し、後方に押すと、ドアを押し開きすることができる。
【０１１８】
図２６は第２実施形態に係る取っ手補助具の他の例を示す正面図である。ここでは、ドアＬは引き戸である。本実施形態の取っ手補助具１１ｃは引き戸の取っ手に適用できる。以下では、前述例と異なる点を主として説明する。
【０１１９】
取っ手補助具１１ｃは、腕をかけて取っ手を操作するための湾曲形状の第１腕掛け部２ｂと、第１腕掛け部２ｂの基端側と接続する取付部３ｂと、有する。取っ手補助具１１ｃは、取付部３ｂを介して取っ手に取り付けられる。腕掛け部２ｂは、腕を挿入するための挿入部を有し、ドアを開閉する際は、使用者の腕はこの挿入部を通して腕掛け部２ｂに到達し、腕掛け部２ｂに掛けて、取っ手を操作するようになる。取っ手補助具１１ｃはさらにガイド部４ｂを有してもよい。
【０１２０】
第１腕掛け部２ｂ、取付部３ｂ及びガイド部４ｂは、前述例の腕掛け部、取付部及びガイド部と同様に構成でき、詳細な説明を省略する。取付部３ｂは、取っ手Ｍｃに合わせて適宜構成できる。例えば、締付部３０１ｂを有し、締結部材５１により引き戸Ｌに固定される。
【０１２１】
取っ手補助具１１ｃは、さらに、腕をかけて取っ手を操作するための湾曲形状の第２腕掛け部２ｃを有する。第２腕掛け部２ｃは、第１腕掛け部２ｂの本体部と対称的に構成され、略Ｕ字形状またはＣ字形状に形成される。第１腕掛け部２ｂの挿入部が戸当り側に向いているのに対して、第２腕掛け部２ｃの挿入部はその反対側に向いている。
【０１２２】
図示は右引き開き側を示すもので、第１腕掛け部２ｂ及び第２腕掛け部２ｃは取っ手の右側に配置される。ドアを開くときは、第１腕掛け部２ｂの挿入部から腕を通し、第１腕掛け部２ｂにかけて右方向に引くと、ドアを開くことができる。ドアを閉めるときは、第２腕掛け部２ｃの挿入部から腕を通し、第２腕掛け部２ｃにかけて左方向に引くと、ドアを閉めることができる。
【０１２３】
引き戸の左引き開き側は、上記と対称的に構成される。また、引き戸が外力がなくなると自動的に閉まるようになっている場合は、第２腕掛け部２ｃを備えなくてよい。
【０１２４】
取っ手補助具１１ｃによれば、手を使用せず腕のみで取っ手を操作でき、多数の人が同じ取っ手を握って（指をかけて）操作することによる間接的接触感染を予防できる。また、手が金属の取っ手に触れることで発生する静電気を防止できる。また、手を自由に動かすことができない人や力が弱い人の取っ手の操作が容易になる。
【０１２５】
＜第３実施形態＞
図２７は第３実施形態に係る取っ手のドアへの取付状態の一例を示す平面図である。図示のように、ドアＬには、取っ手装置７が備えられる。取っ手装置７は、ドアＬの引き開き側及び押し開き側にそれぞれ取り付けられる一対の取っ手９ａ及び取っ手９ｂからなる取っ手セット９と、これらの取っ手をドアＬに取り付けるための一対の取付座８ａ及び８ｂと、図示しないラッチ機構を含む。ドアＬはヒンジＬ１によりドア枠に取り付けられ、取っ手９ａ及び取っ手９ｂは、ドアＬの戸当り端部に近い位置に取り付けられ、ドアを開閉操作できるようになっている。取付座やラッチ、バネ、止め螺子等の機構には従来技術が適宜用いられるものとし、ここでは詳細な説明を省略する。
【０１２６】
以下では、取っ手９ａ及び９ｂについて説明する。一例として、図示のように、引き開き側の取っ手（第１取っ手）９ａと押し開き側の取っ手（第２取っ手）９ｂは対称的に構成される。また、後述のように、腕掛け部が水平に構成される場合は、取っ手９ａと同形状のものを１８０度異なる方向に取り付けることで簡単に取っ手９ｂを構成できる。以下では、引き開き側の取っ手９ａを例に説明する。
【０１２７】
図２８は図２７の引き開き側の取っ手（第１取っ手）９ａを示す（ａ）平面図、（ｂ）正面図、（ｃ）側面図である。
【０１２８】
取っ手９ａは、取付座８ａに回転可能に取り付けられ、取付座８ａに取り付けるための取付部（軸部）９１ａと、腕をかけてドアを操作するための湾曲形状の腕掛け部９２ａと、を含む。腕掛け部９２ａは、挿入部Ａを有し、ドアを開閉する際は、使用者の腕はこの挿入部Ａを通して腕掛け部９２ａに到達し、腕掛け部９２ａに掛けて、ドアを開閉操作するようになる。
【０１２９】
腕掛け部９２ａによるドアの開閉操作は、腕で回転して引くのみである。そのため、取っ手９ａによれば、手を使用せず腕のみでドアを開閉操作でき、多数の人が同じ取っ手を握って操作することによる間接的接触感染を予防できる。また、手が金属の取っ手に触れることで発生する静電気を防止できる。また、手を自由に動かすことができない人や力が弱い人の取っ手の操作が容易になる。
【０１３０】
以下では、取っ手９ａについて詳細に説明する。取っ手９ａは、前述のように、取付部（軸部）９１ａと、腕掛け部９２ａとを含み、好ましくはさらにガイド部９３ａを含む。
【０１３１】
取付部９１ａは、腕掛け部９２ａを取付座８ａに取り付ける部分である。取付部９１ａは、腕掛け部９２ａの基端側と接続し、取付座８ａを介してドア面に略垂直となるように取り付けられる。取付部９１ａの先端は外径が小さく形成され、図示しない連結部材等と接続するための孔部等が設けられる。腕掛け部９２ａは、取付部９１ａの交差方向に連設される。
【０１３２】
腕掛け部９２ａは、三方が囲まれ、一方が開放された枠状であり、三方の囲いにより腕掛け部９２ａが構成され、一方の開放口により挿入部Ａが構成される。図示のように、腕掛け部９２ａは、取付座８ａの左側に配置され、挿入部が右側に向いている。レバー型取っ手は引き開き側では通常左回転（反時計方向回転）して開くようになっているので、ここでは、腕掛け部９２ａを左側に配置することで、左回転操作をしやすくする。
【０１３３】
腕掛け部９２ａは前方及び後方の囲い部分が左右に延在し、側方の囲い部分が前後に延在する。これらの囲い部分の成す面は、一例として、略水平面である。
【０１３４】
腕掛け部９２ａは、一例として、前方下方に傾斜してもよい。すなわち、腕掛け部９２ａの前方、後方及び側方部分のなす面が前方下方に傾斜する傾斜面でもよい。使用者（例えば小さな背丈の子供や、老人など）がドアの前方に立って操作するため、取付面に対して前方下方に傾斜させることで、使用者の腕の挿入や回転操作をしやすくする。
【０１３５】
腕掛け部９２ａは、挿入部に面し、腕を掛ける部分である本体部９２１ａと、取付部９１ａと接続する基端部９２２ａと、末端部９２３ａとを有する。
【０１３６】
本体部９２１ａは、湾曲形状で、好ましくは、平面視円周の１／３以上の円弧形状（中心角が１２０°以上の円弧形状）で、より好ましくは、中心角が１９０°以上である。本体部９２１ａは、例えば半円形状である。本体部９２１ａの半円形状の内周の直径は、６０ｍｍ〜１２０ｍｍ程度で、好ましくは７０ｍｍ〜１００ｍｍで、例えば８５ｍｍである。本体部９２１ａの断面は、一例として円形で、直径が１２ｍｍ〜４０ｍｍ程度で、好ましくは１５ｍｍ〜３５ｍｍで、例えば２０ｍｍである。このように円弧状にし、腕の外形に適合させることで、腕にやさしく接触させ、操作をスムーズにさせる。
【０１３７】
基端部９２２ａは、腕掛け部を支持する部分である。基端部９２２ａは、本体部９２１ａの円弧形状と共通の円周上の円弧の形状でもよいし、本体部９２１ａの円弧形状と曲率半径が異なる円弧形状でもよいし、略直線状でもよい。基端部９２２ａは、本体部９２１ａよりやや太く形成され、本体部９２１ａから漸次太く形成されてもよい。
【０１３８】
末端部９２３ａは、本体部９２１ａの円弧形状と共通の円周上の円弧の形状でもよいし、本体部９２１ａの円弧形状と曲率半径が異なる円弧形状でもよいし、略直線状でもよい。末端部９２３ａは、本体部９２１ａよりやや太く形成され、本体部９２１ａから漸次太く形成されてもよい。
【０１３９】
ガイド部９３ａは、腕の腕掛け部９２ａへの挿入を容易にする部分で、挿入部ないし腕掛け部へ導く部分である。ガイド部９３ａは、腕掛け部９２ａの末端部９２３ａと接続し、腕掛け部９２ａと同角度で前方下方に傾斜している。ガイド部９３ａは、平面視において挿入部の反対側に反る形状で、腕掛け部９２ａの反対側に湾曲する形状である。ガイド部９３ａは、腕掛け部９２ａの本体部９２１ａよりも曲率半径が大きい円弧形状に形成される。一例として、ガイド部９３ａの断面は、腕掛け部９２ａと同様に円形に形成される。ガイド部９３ａは、腕掛け部９２ａよりやや太く形成され、また、漸次太く形成されてもよい。
【０１４０】
図示しないが、取っ手９ａは、腕掛け部９２ａが水平線に対して反時計方向に９０度以上１２０度以下の角度を成すように構成されてもよい。このように構成することで、取っ手９ａは左右方向の幅を狭く形成でき、コンパクト化することができる。
【０１４１】
また、腕掛け部９２ａは、囲い部分のなす面が前方右方に捻るように傾斜していてもよい。すなわち、腕掛け部２ａは、前方部分が後方部分よりも前方右側に傾斜していてもよい。使用者は前方左方で操作するため、このように構成することで腕の挿入及び回転操作がしやすくなる。
【０１４２】
図２９は第３実施形態に係る押し開き側の取っ手（第２取っ手）の他の例を示す（ａ）平面図、（ｂ）正面図、（ｃ）側面図である。以下では、前述例と異なる点を主として説明する。なお、前述の引き開き側の取っ手９ａは以下で説明する取っ手９ｂと対称に構成されてもよい。
【０１４３】
取っ手９ｂは、取付座８ｂに回転可能に取り付けられ、取付座８ｂに取り付けるための取付部（軸部）９１ｂと、腕をかけてドアを操作するための湾曲形状の腕掛け部９２ｂと、を含む。腕掛け部９２ｂは、挿入部を有し、ドアを開閉する際は、使用者の腕はこの挿入部を通して腕掛け部９２ｂに到達し、腕掛け部９２ｂに掛けて、ドアを開閉操作するようになる。腕掛け部９２ｂによるドアの開閉操作は、腕で回転して押すのみである。取っ手９ｂは、好ましくはさらにガイド部９３ｂを含む。取付部９１ｂは、前述の取っ手９ａと対称に構成され、ここでは詳細な説明を省略する。
【０１４４】
腕掛け部９２ｂは、三方が囲まれ、一方が開放された枠状であり、三方の囲いにより腕掛け部９２ｂが構成され、一方の開放口により挿入部Ａが構成される。図示のように、腕掛け部９２ｂは、取付座８ｂより右側に配置され、挿入部が左側に向いている。レバー型取っ手は押し開き側では通常右回転（時計方向回転）して開くようになっているので、ここでは、腕掛け部９２ｂを右側に配置することで、右回転操作をしやすくする。
【０１４５】
腕掛け部９２ｂは前方及び後方の囲い部分が左右に延在し、側方の囲い部分が前後に延在する。これらの囲い部分の成す面は、一例として、略水平面である。
【０１４６】
腕掛け部９２ｂは、一例として、前方下方に傾斜してもよい。すなわち、腕掛け部９２ｂの前方、後方及び側方部分のなす面が前方下方に傾斜する傾斜面でもよい。使用者がドアの前方に立って操作するため、取付面に対して前方下方に傾斜させることで、使用者の腕の挿入や回転操作をしやすくする。
【０１４７】
腕掛け部９２ｂは、挿入部に面し、腕を掛ける部分である本体部９２１ｂと、取付部９１ｂと接続する基端部９２２ｂと、末端部９２３ｂとを有する。本体部９２１ｂ及び末端部９２３ｂは前述例と対称に構成され、ここでは詳細な説明を省略する。
【０１４８】
基端部９２２ｂは、腕掛け部を支持する部分である。基端部９２２ｂは、平面視略直線状に形成される。前述の例の基端部の左右方向の長さは取付部の前後方向の長さと略同じであったが、ここでは、基端部９２２ｂの左右方向の長さは、取付部９１ｂの前後方向の長さの略２倍である。言い換えれば、ここでは、第２取っ手９ｂは、第１取っ手９ａよりも左右方向の幅が大きく形成される。このように、第２取っ手９ｂは、基端部９２２ｂの長さを長くすることで、腕掛け部９２ｂの仕切りとの間隔を大きくし、腕で押し開き操作する際に手が仕切りにぶつからないようにすることができる。
【０１４９】
図示しないが、取っ手９ｂは、腕掛け部９２ｂが水平線に対して時計方向に６０度以上で９０度以下の角度をなすように構成されてもよい。このように構成することで、取っ手９ｂは左右方向の幅を狭く形成でき、コンパクト化することができる。
【０１５０】
また、腕掛け部９２ｂが捻るように前方左方に傾斜していてもよい。すなわち、腕掛け部は、囲い部分がなす面が前方左方に傾斜する傾斜面となるように構成されてもよい。使用者が前方右方で操作するため、このように構成することで腕の挿入及び回転操作がしやすくなる。
【０１５１】
ガイド部９３ｂは前述のガイド部９３ａと対称的に構成されてもよいが、図示のように略球体に形成されてもよい。また、ガイド部９３ｂは、腕掛け部９２ｂと別体に形成され、例えば螺子などで腕掛け部９２ｂに接続され、取り外し可能であってもよい。
【０１５２】
図３０は第３実施形態に係る第２取っ手の他の例を示すものである。図３０（ａ）は右上から観察した平面図、図３０（ｂ）はその側面図、図３０（ｃ）はドアへの取付けを説明するための図である。以下では、前述取っ手９ａと対称的に構成される部分については説明を省略し、主として異なる点を説明する。
【０１５３】
取っ手９ｂは、ここでは、腕掛け部９２ｂが開閉可能に構成される。一例として、腕掛け部９２ｂは、別体に形成された前後２つの部分を含み、後方部分に第１本体部９２１１ｂと基端部９２２ｂが設けられ、前半部分に第２本体部９２１２ｂと末端部９２３ｂが設けられる。すなわち、腕掛け部９２ｂの本体部９２１ｂは、第１本体部９２１１ｂと第２本体部９２１２ｂから構成される。腕掛け部９２ｂは、前半部分と後半部分とが接近・離開可能に接続され、挿入部が開閉可能になっている。
【０１５４】
腕掛け部９２ｂは、例えば、本体部９２１ｂの略中間部分にヒンジ部９２４ｂが設けられ、このヒンジ部９２４により前半部分と後半部分とが接近・離開可能に接続される。ヒンジ部９２４ｂは、開く方向に付勢されたばねを有し、腕掛け部９２ｂは通常は前半部分と後半部分が離開して挿入部が開いている状態にある。前方から外力が加わると、腕掛け部９２ｂは、前半部分が後半部分に接近し、挿入部が狭まるようになり、閉じるようになる。
【０１５５】
取っ手９ｂは、このように開閉可能に構成することで、取っ手に使用者や物がぶつかる場合に備え、そのような場合でも腕掛け部２ｂが閉じることで相手に損傷を与えないようにする。
【０１５６】
腕掛け部９２ｂは、通常は前半部分と後半部分が接近して挿入部が閉じている状態にあってもよい。例えば、腕掛け部９２ｂは、ヒンジ部９２４が閉じる方向に付勢されたばねを有してもよい。そして、腕を挿入しようとする際の外力により挿入部が腕を挿入できる程度まで開き、または、ガイド部９３ｂが腕を挿入できるように導き、本体部が腕を掛けて操作できる程度まで開くようになっていてもよい。または、例えば、腕を挿入しようとする際の外力により、腕掛け部９２ｂが操作できる程度まで開き、その開き状態が保持されるようになっていてもよい。
また、ヒンジ部９２４に前方に開くように例えばトーションバネが設けられ、前方から外力が加わると、腕掛け部９２ｂは、前半部分が後半部分に接近し、挿入部が狭まるようになり、（例えばラッチが掛かり）閉じている状態になり、さらに再度外力が掛かると、開く（例えばラッチが外れ）ことで、腕掛け部９２ｂは、開閉が起こる仕組みとしても良い。
これにより、未使用時閉じている状態で、例えばガイド部９３ｂを押下することで、開き、腕掛け部９２ｂを開いた状態とすることが出来る。
【０１５７】
取っ手９ｂは、以下のようにドアに取り付けられてもよい。すなわち、取付部９１ｂは、その中心に孔部９１１ｂが設けられ、金属製の取付金具７１が接続される。取付金具７１は、中間部分よりも両端部が小径である棒状部材で、前後方向に延在するように、一端部（前端部）が取付部９１ｂの孔部９１１ｂと篏合する。取付金具７１は、その中心に軸孔７１１を有する。軸孔７１１は、有底の角孔で、他端部（後端部）に開口し、前端部まで達している。取付金具７１は、大径である中間部に外周面から軸孔７１１に達する孔部７１２を有する。孔部７１２は、雌ねじ山が設けられ、図示しない止め螺子が螺合される。
【０１５８】
取付金具７１の取付部９１ｂへの接続は、一例として、インサート成形による。取っ手９ｂは、軸孔７１１の大きさや向きなどが異なる取付金具７１を複数用意すれば、各種の取っ手装置の部材に幅広く対応できる。また、取っ手９ｂが金属素材により形成される場合は、取付金具７１は溶接により取っ手９ｂに接合されてもよいし、ねじ止めされてもよいし、凹凸形状による篏合構造が用いられてもよい。
【０１５９】
中軸７２は、引き開き側の取っ手と押し開き側の取っ手を接続する部材で、断面が四角形状である。中軸７２の断面の幅は、例えば、７ｍｍから８ｍｍ程度である。中軸７２は両側の取付座を貫通し、両側の取っ手に接続された取付金具７１の軸孔７１１に両端部がそれぞれ挿入するように取付座に配置される。中軸７２は、取付座に対して回転可能になっている。
【０１６０】
中軸７２にカラー７３が設けられてもよい。取付座と中軸７２との間のがたつきを防ぐためである。大きさが異なるカラー７３を複数用意することで、各種の取付座に幅広く対応できる。
【０１６１】
また、上記の例におけるガイド部は、周縁が丸められた構成、接触面が広い構成（格子状、網状にする構成などを含む）、柔軟性を持たせた構成が好ましい。操作時、非操作時を問わず、使用者や物が取っ手にぶつかったり、引っ掛かったりすることがあり得るので、そのような場合に備え、人や物の衝撃を和らげるためである。
【０１６２】
なお、上記の記載に基づいて、当業者であれば、本発明の追加の効果や種々の変形を想到できるかもしれないが、本発明の態様は、上述した実施形態の例に限定されるものではない。請求の範囲に規定された内容及びその均等物から導き出される本発明の概念的な思想と趣旨を逸脱しない範囲で種々の追加、変更及び部分的削除が可能である。
【符号の説明】
【０１６３】
１                      取っ手補助具セット
１０、１１ａ、１１ｂ    取っ手補助具
２                      腕掛け部
３                      取付部
４                      ガイド部
５                      締結部
９                      取っ手セット
９ａ、９ｂ              取っ手
９１                    取付部
９２                    腕掛け部
９３                    ガイド部
【要約】
【課題】  手を使用せず腕のみで操作できる取っ手補助具及び取っ手を提供する。
【解決手段】  ドアの取っ手に取り付けられる取っ手補助具であって、腕をかけて取っ手を操作するための湾曲形状の腕掛け部と、前記腕掛け部の基端側と接続する取付部と、を有し、前記腕掛け部は、腕を挿入するための挿入部を有する取っ手補助具。
【選択図】図１【図１】
0006893719.tif 000002
【図２】
0006893719.tif 000003
【図３】
0006893719.tif 000004
【図４】
0006893719.tif 000005
【図５】
0006893719.tif 000006
【図６】
0006893719.tif 000007
【図７】
0006893719.tif 000008
【図８】
0006893719.tif 000009
【図９】
0006893719.tif 000010
【図１０】
0006893719.tif 000011
【図１１】
0006893719.tif 000012
【図１２】
0006893719.tif 000013
【図１３】
0006893719.tif 000014
【図１４】
0006893719.tif 000015
【図１５】
0006893719.tif 000016
【図１６】
0006893719.tif 000017
【図１７】
0006893719.tif 000018
【図１８】
0006893719.tif 000019
【図１９】
0006893719.tif 000020
【図２０】
0006893719.tif 000021
【図２１】
0006893719.tif 000022
【図２２】
0006893719.tif 000023
【図２３】
0006893719.tif 000024
【図２４】
0006893719.tif 000025
【図２５】
0006893719.tif 000026
【図２６】
0006893719.tif 000027
【図２７】
0006893719.tif 000028
【図２８】
0006893719.tif 000029
【図２９】
0006893719.tif 000030
【図３０】
0006893719.tif 000031